(57)【特許請求の範囲】
【請求項１】
移動機を用いた通信に係る呼の設定および解除のために信号伝送路の接続および切断を切り換え制御するコネクションのうち所定期間常態で接続が維持されるべき接続維持コネクションに関し当該所定期間内に常態が破れ切断が発生したことを検出するコネクション断検出手段と、前記コネクション断検出手段が当該コネクションの切断を検出したときには当該コネクションの切断に関係する加入者の契約情報に基づいて復旧すべき通信を判断して特定する復旧通信特定手段と、前記復旧通信特定手段によって特定された通信に関して該当する移動機に復旧動作を促す呼出を発信させるための復旧呼出発信指令を発する復旧呼出発信指令手段と、が前記移動機を用いた通信を実現するための移動通信網に設けられたノードに含まれるように構成されていることを特徴とする移動通信システム。
【請求項２】
移動通信網に設けられたノードであって、呼の設定および解除を制御するために上位ノードと移動機間の信号伝送路の接続および切断を切り換えるコネクションのうち所定期間常態で接続が維持されるべき接続維持コネクションに関し当該所定期間内に常態が破れ切断が発生したことを認識するコネクション断認識手段と、前記コネクション断認識手段によって当該切断が認識されたときには当該コネクションの切断に関係する加入者の契約情報に基づいて復旧すべき通信を判断して特定する復旧通信特定手段と、前記復旧通信特定手段によって特定された通信に関して該当する移動機に復旧動作を促す呼出を発信させるための復旧呼出発信指令を発する復旧呼出発信指令手段と、を備えていることを特徴とする自動接続復旧ノード。
【請求項３】
ＩＰ−ＳＣＰ（IP-based service control point）として構成される自動接続復旧ノードであって、前記コネクション断認識手段は、該ＩＰ−ＳＣＰと結ばれたノードであるＸＧＳＮ（serving/gateway GPRS（General Packet Radio Service）Support Node）によるコネクション断の検出および該検出の通知に基づいてコネクション断を認識することを特徴とする請求項２に記載の自動接続復旧ノード。
【請求項４】
ＩＰ−ＳＣＰ（IP-based service control point）として構成される自動接続復旧ノードであって、前記コネクション断認識手段は、該ＩＰ−ＳＣＰと結ばれたノードであるＳＧＳＮ（Serving GPRS（General Packet Radio Service） Support Node）によるコネクション断の検出および該検出の通知に基づいてコネクション断を認識することを特徴とする請求項２に記載の自動接続復旧ノード。
【請求項５】
ＸＧＳＮ（serving/gateway GPRS（General Packet Radio Service）Support Node）として構成される自動接続復旧ノードであって、前記コネクション断認識手段は、該ＸＧＳＮに含まれているコネクション断検出部による検出に基づいてコネクション断を認識することを特徴とする請求項２に記載の自動接続復旧ノード。
【請求項６】
ＳＧＳＮ（Serving GPRS（General Packet Radio Service） Support Node）として構成される自動接続復旧ノードであって、前記コネクション断認識手段は、該ＳＧＳＮの上位ノードとしてのＧＧＳＮ（Gateway GPRS（General Packet Radio Service） Support Node ）における当該コネクションの切断を検出するように構成されていることを特徴とする請求項２に記載の自動接続復旧ノード。
【発明の詳細な説明】
【技術分野】
【０００１】
本発明は、移動通信システム、自動接続復旧ノードに関する。
【背景技術】
【０００２】
近年、あらゆる場所で種々広汎な領域に亘る機器に応答器が設けられ、何れに在っても質問器からの問いかけに応答できるようなシステムが、移動通信網を利用することによって所謂ユビキタスの一つの姿として具現化されつつある。
例えば、移動機としての機能を保有する無線端末装置が飲料やたばこ等の自動販売機に備えられ、在庫管理や購入者の認証に用いられるようなケースが既に増加の一途を辿っている。
上述のようなケースでは、旧来のように専ら運用者の経験に依存して自動販売機での販売品目の補充等を人為的に行なうに替えて、現実の在庫に見合った補充作業を行うＰＯＳシステムが実現され、また、セキュリティの確保についても一定の効果を収めるに到っている。
【０００３】
更に、未成年者の喫煙や飲酒を防止するために、年齢識別装置を自動販売機に搭載し未成年者が利用できないシステムの構築が進められようとしている（日本自動販売機工業会、たばこ・酒業界等）。
移動機に関するこのような応用的利用技術は、今後、家庭電気製品等に代表される汎用機器にまで波及しようという趨勢にある。
上述のように自動販売機等に組み込まれる移動機（従って、加入者）の数は飛躍的に増加する傾向を呈しており、現実にデータが流れるトラヒックの増加を遥かに凌駕するものとなることが予測に難くない。
【０００４】
一方、携帯電話機のようにユーザの意思に従って用いられる移動機では、通話中など常態で移動通信システムにおけるコネクションが維持されるべき期間内に当該コネクションが切断された場合には、ユーザがコネクションの再設定のための操作を行って復旧が図られる。
しかしながら、ユーザにおいて呼再開のための操作を全て負うのは面倒であり、可能な限り、再開に関するこのような操作を行うまでもなく、自動的に復旧が図られることが望ましい。
他方、上述のように自動販売機等に組み込まれる移動機のように平生の運用ないし使用状態においては、時々刻々の状況を上位の管理システムに伝送するために常時呼が設定された状態にある。即ち、移動通信システムにおけるコネクションが常態で維持される。
【０００５】
ところが、このような常時接続コネクションが切断された場合における復旧の契機は、一般的には、移動機からの再接続機能のみである。
このため、何等の外部操作も行われなければ、コネクションが切断されたまま回復不可能な状態に陥るおそれがある。
以上のように常時接続コネクションが切断された場合に自動的に復旧が図られるようにするためには、コネクションが切断されたことを検出する機能と、この機能によってコネクションの切断が検出されたときに、自動的に再開のための呼出を起動する機能とを各移動機に備えることが考えられる。
【０００６】
しかしながら、常時接続コネクションが切断された場合における復旧の契機を、専ら移動機側における呼出機能に委ねてしまうと、コネクションの切断の影響が配下の多数の移動機に及ぶような形態での不具合が発生した際に、多数の移動機から一斉に呼出が起動され、無線リソースの割り当てが逼迫するといったことが懸念される。
既述のように、今後予想されるユビキタス時代に向けて、移動通信システムに収容される移動機の数は飛躍的に増大することが見込まれる状況にある。
この状況にあって、常時接続コネクションの復旧の契機を専ら各個の移動機における統制のない呼出の起動に依存する場合には、復旧時のピークを吸収するために、現実にデータが流れる通信トラヒックとの対比で見ると、甚だバランスを欠いた過剰な設備が要求されるといった事態を招来してしまうことになる。
【０００７】
尚、コンテンツサーバからＧＧＳＮ（Gateway GPRS（General Packet Radio Service） Support Node ）→ＳＧＳＮ（Serving GPRS（General Packet Radio Service） Support Node：複数）→ＭＳ（移動局：複数）といったツリー構造を持つコンテンツ配信経路のうちの一つの系統に障害が発生したときには、これが復旧しないうちに当該系統にコンテンツを配信し続けるとリソースの無駄が発生するので、これを解決する技術を提供するといった技術は既に提案されている（特許文献１参照）。
【０００８】
この特許文献１では、３ＧＰＰ（3rd Generation Partnership Project）におけるＭＢＭＳ（Multimedia Broadcast／Multicast Service）に規定されたツリー構造における複数の下位ノード（下位サービス制御装置）ＳＧＳＮ（Serving GPRS（General Packet Radio Service） Support Node）のうち特定のものについてのみ障害（輻輳や故障等）が発生した場合であっても、上位ノードＧＧＳＮ（Gateway GPRS（General Packet Radio Service） Support Node：ブロードキャストデータの送信元）が、当該下位ノードＳＧＳＮにおける障害の発生を検出することができないため、当該下位ノードＳＧＳＮに対してブロードキャストデータを送信し続ける無駄を排除しようとするものである。
【特許文献１】特開２００６−５４５９２号公報（要約、段落０００４〜段落０００８等）
【発明の開示】
【発明が解決しようとする課題】
【０００９】
しかしながら、上掲の特許文献１に開示された技術は、端的には、コンテンツを送信しても障害によって所定の配信先に届かない状況下でも一律に配信を継続してしまうといったリソースの無駄使いを排除しようとするものであり、コネクションの切断を復旧させる方途を提供するものではない。
本発明は、上述のような状況に鑑みてなされたものであり、所定期間常態で接続が維持されるべき接続維持コネクションに関し当該所定期間内に常態が破れ切断が発生した場合に、途切れた通信を自動的に復旧させ、且つ、この復旧に際して無線リソースの割り当てが逼迫するおそれがないようにした、移動通信システム、自動接続復旧ノードを提供することを目的とする。
【課題を解決するための手段】
【００１０】
上記課題を解決するべく、本願では次に列記するような技術を提案する。
即ち、本発明の移動通信システムでは、移動機を用いた通信に係る呼の設定および解除のために信号伝送路の接続および切断を切り換え制御するコネクションのうち所定期間常態で接続が維持されるべき接続維持コネクションに関し当該所定期間内に常態が破れ切断が発生したことを検出するコネクション断検出手段と、前記コネクション断検出手段が当該コネクションの切断を検出したときには当該コネクションの切断に関係する加入者の契約情報に基づいて復旧すべき通信を判断して特定する復旧通信特定手段と、前記復旧通信特定手段によって特定された通信に関して該当する移動機に復旧動作を促す呼出を発信させるための復旧呼出発信指令を発する復旧呼出発信指令手段と、が前記移動機を用いた通信を実現するための移動通信網に設けられたノードに含まれるように構成されていることを特徴とする。
【００１１】
上記移動通信システムでは、移動機を用いた通信に係る呼の設定および解除のために信号伝送路の接続および切断を切り換え制御するべく該当するノードに設けられたコネクションのうち所定期間常態で接続が維持されるべき接続維持コネクションに関し当該所定期間内に常態が破れ切断が発生したことをコネクション断検出手段が検出する。
このコネクション断検出手段は、所定のノード（一つの態様としては、上記移動通信システムにおける前記接続維持コネクションを含むノードの下位のノード）に設けられる。
【００１２】
前記コネクション断検出手段が当該コネクションの切断を検出したときには、前記復旧通信特定手段が、復旧すべき通信を判断して特定する。
この復旧通信特定手段は、所定のノード（一つの態様としては、上記移動通信システムにおける前記コネクション断検出手段を含むノードからコネクション断の通知を受けるように結ばれたノード）に設けられる。
前記復旧通信特定手段によって当該コネクションの切断に関係する加入者の契約情報に基づいて復旧すべき通信が特定されると、前記復旧呼出発信指令手段が、該特定された通信に関して該当する移動機に復旧動作を促す呼出を発信させるための復旧呼出発信指令を発する。
【００１３】
この復旧呼出発信指令手段は、所定のノード（一つの態様としては、上記移動通信システムにおける前記復旧通信特定手段を含むノードと同じノード）に設けられる。
前記復旧呼出発信指令手段から復旧呼出発信指令が発せられると、所定の経路で復旧呼出発信指令を受けるノード（例えば移動機）が当該指令に応答してコネクション復旧のための呼出を起動させることによって、上述のコネクション断によって途切れた通信の復旧が達成される。従って、ネットワーク側主導でコネクションを復旧させることができる。
【００１４】
また、本発明の自動接続復旧ノードは、移動通信網に設けられたノードであって、呼の設定および解除を制御するために上位ノードと移動機間の信号伝送路の接続および切断を切り換えるコネクションのうち所定期間常態で接続が維持されるべき接続維持コネクションに関し当該所定期間内に常態が破れ切断が発生したことを認識するコネクション断認識手段と、前記コネクション断認識手段が当該コネクションの切断を認識したときには当該コネクションの切断に関係する加入者の契約情報に基づいて復旧すべき通信を判断して特定する復旧通信特定手段と、前記復旧通信特定手段によって特定された通信に関して該当する移動機に復旧動作を促す呼出を発信させるための復旧呼出発信指令を発する復旧呼出発信指令手段と、を備えていることを特徴とする。
【００１５】
上記自動接続復旧ノードでは、上位ノードと移動機間の信号伝送路の接続および切断を切り換えるコネクションのうち所定期間常態で接続が維持されるべき接続維持コネクションに関し当該所定期間内に常態が破れ切断が発生すると、前記コネクション断認識手段によって、当該切断が認識される（この認識は、一つの態様としては、下位ノードからコネクション断を検出した通知を受けることにより可能になる）。
前記コネクション断認識手段によって当該切断が認識されたときには、前記復旧通信特定手段が、当該コネクションの切断に関係する加入者の契約情報に基づいて復旧すべき通信を判断して特定する。
この復旧通信特定手段は、所定のノード（一つの態様としては、上記移動通信システムにおける前記コネクション断検出手段を含むノードからコネクション断の通知を受けるように結ばれたノード）に設けられる。
【００１６】
前記復旧通信特定手段によって復旧すべき通信が特定されると、前記復旧呼出発信指令手段が、該特定された通信に関して該当する移動機に復旧動作を促す呼出を発信させるための復旧呼出発信指令を発する。
前記復旧呼出発信指令手段から復旧呼出発信指令が発せられると、所定の経路で復旧呼出発信指令を受けるノード（例えば移動機）が当該指令に応答してコネクション復旧のための呼出を起動させることによって、上述のコネクション断によって途切れた通信の復旧が達成される。
従って、ネットワーク側主導でコネクションを復旧させることができる。
【００１７】
一方、前記自動接続復旧ノードはＩＰ−ＳＣＰ（IP-based service control point）として構成され、前記コネクション断認識手段は該ＩＰ−ＳＣＰと結ばれたノードであるＸＧＳＮ（serving/gateway GPRS（General Packet Radio Service）Support Node）によるコネクション断の検出および該検出の通知に基づいてコネクション断を認識するように構成することができる。
この態様を採る場合には、ＸＧＳＮの通常の機能であるコネクション断の検出機能を利用してＸＧＳＮとは別途にコネクション断の検出手段を設けることなく、当該自動接続復旧ノードであるＩＰ−ＳＣＰのコネクション断認識手段を構成することができる。
【００１８】
また、上記自動接続復旧ノードはＩＰ−ＳＣＰ（IP-based service control point）として構成され、前記コネクション断認識手段は該ＩＰ−ＳＣＰと結ばれたノードであるＳＧＳＮ（Serving GPRS（General Packet Radio Service） Support Node）によるコネクション断の検出および該検出の通知に基づいてコネクション断を認識するように構成することができる。
この態様を採る場合には、ＳＧＳＮの通常の機能であるコネクション断の検出機能を利用してとは別途にコネクション断の検出手段を設けることなく、当該自動接続復旧ノードであるＩＰ−ＳＣＰのコネクション断認識手段を構成することができる。
【００１９】
また、一方、上記自動接続復旧ノードは、ＸＧＳＮ（serving/gateway GPRS（General Packet Radio Service）Support Node）として構成され、前記コネクション断認識手段は、該ＸＧＳＮに含まれているコネクション断検出部による検出に基づいてコネクション断を認識するように構成することができる。
この態様を採る場合には、ＸＧＳＮの通常の機能であるコネクション断の検出機能を利用してＸＧＳＮとは別途にコネクション断の検出手段を設けることなく、当該自動接続復旧ノードであるＸＧＳＮのコネクション断認識手段を構成することができる。
【００２０】
また、上記自動接続復旧ノードは、ＳＧＳＮとして構成され、前記コネクション断認識手段は、該ＳＧＳＮの上位ノードとしてのＧＧＳＮ（Gateway GPRS（General Packet Radio Service） Support Node ）における当該コネクションの切断を検出するように構成することができる。
この場合、ＳＧＳＮはＧＧＳＮの当該コネクションの切断を検出して、該ＧＧＳＮに対しその配下にある該当する移動機に復旧動作を促す呼出を発信させるように制御するための復旧呼出発信指令を発する。
この復旧呼出発信指令にＧＧＳＮが応動することによって、ＧＧＳＮから該当する移動機に復旧動作を促す呼出を発信させ、この呼出を契機として、ネットワーク側主導でコネクションを復旧させることができる。
【発明の効果】
【００２３】
本発明によれば、所定期間常態で接続が維持されるべき接続維持コネクションに関し当該所定期間内に常態が破れ切断が発生した場合に、コネクションが自動的に復旧される。
この復旧は、該当するノードを含むネットワーク側主導で行われる。このため、常時接続コネクションの復旧の契機を専ら各個の移動機における統制のない呼出の起動に依存する場合におけるような無線リソースの逼迫を招来するおそれが回避され得る。
【発明を実施するための最良の形態】
【００２４】
以下、図面を参照して本発明の実施の形態について詳述することにより本発明を明らかにする。
（本発明の移動通信システムの一の実施の形態）
図１は、本発明の実施の形態としての移動通信システムを表す概念図である。
図示の例における移動通信システム１０は、コンテンツを配信する源となるコンテンツサーバ、或いは、自動販売機に関するＰＯＳシステムに関する売り上げ情報を管理する管理サーバとして機能するサーバ１１０（本図では一つのサーバの如く表記）が設けられ、このサーバ１１０がＸＧＳＮ（serving/gateway GPRS（General Packet Radio Service）Support Node）２００と結ばれている。
このように設置されたＸＧＳＮ２００は、ＧＧＳＮ（Gateway GPRS（General Packet Radio Service） Support Node ）として機能する。
【００２５】
一方、ＸＧＳＮ２００の配下には、２つのＸＧＳＮ２１０および２２０が結ばれており、各ＸＧＳＮ２１０および２２０は、それぞれＳＧＳＮ（Serving GPRS（General Packet Radio Service） Support Node）として機能する。
ＸＧＳＮ２１０の配下にＲＮＣ（Radio Network Controller）２３０が設けられ、同様に、ＸＧＳＮ２２０の配下にＲＮＣ２４０が設けられている。
ＲＮＣ２３０配下には図示省略された基地局等の無線伝送路を担う機器が備えられ、その管轄エリア（セル）に移動機３１０が在圏するが、この移動機３１０は自動販売機５１０に内蔵されている。
【００２６】
一方、図示の場合には、ＲＮＣ２４０配下には図示省略された基地局に移動機３２０が在圏しており、この移動機３２０は通常の携帯電話機のようにユーザに所持され操作される。
他方、この移動通信システム１０には、加入者の契約情報を認識してこのシステム１０におけるコネクション断が発生した場合の自動接続復旧を実現するための枢要な機能を担うＩＰ−ＳＣＰ（Internet Provider - Service Control Point）１２０が設けられている。
【００２７】
このＩＰ−ＳＣＰ１２０はＨＬＲ（Home Location Register）１３０と結ばれ、ＨＬＲ１３０が保有する加入者の契約情報を所要のタイミングで参照し認識する。
今、サーバ１１０−ＸＧＳＮ（ＧＧＳＮ）２００−ＸＧＳＮ（ＳＧＳＮ）２２０−ＲＮＣ２４０−移動機３２０の経路が設定されてサーバ１１０から移動機３２０にコンテンツの供給が行われていると仮定する。
【００２８】
上記仮定において、ＸＧＳＮ（ＧＧＳＮ）２００内で呼の設定および解除のために信号伝送路の接続および切断を切り換え制御するコネクションは、コンテンツの供給が行われている期間は常態で接続が維持される。
この期間内に常態が破れコネクションの切断が発生すると、サーバ１１０−ＸＧＳＮ（ＧＧＳＮ）２００−ＸＧＳＮ（ＳＧＳＮ）２２０−ＲＮＣ２４０−移動機３２０のように一旦確立していた信号伝送路は解除され、コンテンツに係る通信が断たれる。
【００２９】
このような状況に陥ったときには、移動機３２０のユーザが再度接続操作を行えば、この操作によって破線の矢印で概念的に示されたように呼制御（呼の設定処理）が行われて信号伝送路が復旧しコンテンツの供給が再開される。
他方、平生は、移動機３１０−ＲＮＣ２３０−ＸＧＳＮ（ＳＧＳＮ）２１０−ＸＧＳＮ（ＧＧＳＮ）２００−サーバ１１０の経路が常時維持されて、自動販売機５１０に関するＰＯＳシステムが稼動を維持する。尚、この場合には、図示のサーバ１１０は、管理サーバであるとする。
【００３０】
上記ＰＯＳシステムにおける売り上げ時点の情報をリアルタイムで管理サーバ１１０に伝送するために、ＸＧＳＮ（ＳＧＳＮ）２１０やＸＧＳＮ（ＧＧＳＮ）２００における該当するコネクションは、常態で常時接続コネクションとして機能する。
この状態において、ＸＧＳＮ（ＧＧＳＮ）２００内での当該常時接続コネクションについて常態が破れ切断が発生したときには、下位のＸＧＳＮ（ＳＧＳＮ）２１０におけるコネクション断検出手段がコネクション断の発生を検出する。
この場合、ＸＧＳＮ（ＳＧＳＮ）２１０に替えて、通常のとおりのＳＧＳＮを適用可能であることは勿論である。
【００３１】
尚、一般的に、ノードは自ノード内で生じたコネクション断の発生を認識できるが、通常、コネクションの復旧によって過去に発生した自ノード内でのコネクション断の履歴は残らず、従って、このような履歴に基づく何等かの処置を自らの認識で講ずることはできない。
上掲の例において、上位のＸＧＳＮ（ＧＧＳＮ）２００内で発生したコネクション断の検出を下位のＸＧＳＮ（ＳＧＳＮ）２１０におけるコネクション断検出手段によって検出するのは以上のような理由による。
【００３２】
ＸＧＳＮ（ＳＧＳＮ）２１０が、上述のようにコネクション断検出手段によってＸＧＳＮ（ＧＧＳＮ）２００内でのコネクション断を検出したときには、既述のＩＰ−ＳＣＰ１２０に対し、コネクション断の発生を通知する。
この通知に基づいて、ＩＰ−ＳＣＰ１２０はＸＧＳＮ（ＧＧＳＮ）２００内のコネクションに関してコネクション断の発生を認識し、この認識に基づいて、ＨＬＲ１３０が保有する当該コネクション断に関係する加入者の契約情報を参照して取得し、ＸＧＳＮ（ＧＧＳＮ）２００に対し該当する移動機に通信の復旧動作を起動するための呼出を発信することを促す復旧呼出発信指令を発する。
【００３３】
この復旧呼出発信指令に応じてＸＧＳＮ（ＧＧＳＮ）２００がその下位にあるノードである移動機３１０にコネクション復旧のための呼出を起動させる。
このようにして、移動機３１０から当該通信復旧のための呼出が発せられ、該呼出に応じて再度の接続操作が自動的に行われて信号伝送路が復旧する。即ち、コネクションの復旧が達成される。従って、ネットワーク側主導でコネクションを復旧させることができる。
このようにＩＰ−ＳＣＰ１２０が加入者の契約情報を参照することにより、上述のコネクション断検出手段によって検出されたコネクション断に係るＸＧＳＮ（ＳＧＳＮ）２１０およびＸＧＳＮ（ＧＧＳＮ）２００の下位に在圏する移動機の加入者情報を認識し、該認識に基づいて復旧動作が実行される。
【００３４】
（自動接続復旧ノードの一の実施の形態）
図２は、図１中の自動接続復旧ノードとしてのＩＰ−ＳＣＰの構成を表すブロック図である。このＩＰ−ＳＣＰ１２０は、システムコントローラ１２１がバス１２２を通して、ＸＧＳＮ（ＳＧＳＮ）インターフェース部１２３、コネクション断認識部１２４、ＨＬＲインターフェース部１２５、復旧通信特定部１２６、および、ＸＧＳＮ（ＧＧＳＮ）インターフェース部１２７の各部を統括的に管理して、所定の各機能を営むように構成されている。
【００３５】
ＸＧＳＮ（ＳＧＳＮ）インターフェース部１２３は、システムコントローラ１２１の制御下で所定のタイミングでＸＧＳＮ（ＳＧＳＮ）２１０との信号の授受を行う。
ＸＧＳＮ（ＳＧＳＮ）２１０における、ＸＧＳＮ（ＧＧＳＮ）２００のコネクションにおけるコネクション断の検出に関する該検出の通知も、このＸＧＳＮ（ＳＧＳＮ）インターフェース部１２３を通して伝送され、このＩＰ−ＳＣＰ１２０内に取り込まれる。
【００３６】
コネクション断認識部１２４は、上述のようにして通知されたコネクション断の発生を認識する。この認識は、例えば、この認識に対応する履歴の一時的保持といった状態を形成する。
ＨＬＲインターフェース部１２５は、システムコントローラ１２１の制御下で所定のタイミングでＨＬＲ１３０との信号の授受を行う。
このＨＬＲインターフェース部１２５を通して、既述のように、ＨＬＲ１３０が保有する当該コネクション断に関係する加入者の契約情報を参照して取得することができる。
復旧通信特定部１２６は、ＨＬＲ１３０を参照して取得した当該コネクション断に関係する加入者の契約情報に基づいて、上述のようにしてコネクション断認識部１２４で認識されたコネクション断に関連して、復旧すべき通信を判断して特定する。
【００３７】
ＸＧＳＮ（ＧＧＳＮ）インターフェース部１２７は、システムコントローラ１２１の制御下で所定のタイミングでＸＧＳＮ（ＧＧＳＮ）２００との信号の授受を行う。
既述の復旧通信特定部１２６によって特定された通信に関して該当する移動機に復旧動作を促す呼出を発信させるための復旧呼出発信指令を発する復旧呼出発信指令手段がシステムコントローラ１２１によって担われるが、この復旧呼出発信指令が、ＸＧＳＮ（ＧＧＳＮ）インターフェース部１２７を通して、ＸＧＳＮ（ＧＧＳＮ）２００に供給される。
【００３８】
（コネクション断検出手段を含むノードの例）
図３は、図１中のＸＧＳＮ（ＳＧＳＮ）の構成を表すブロック図である。
このＸＧＳＮ（ＳＧＳＮ）２１０は、システムコントローラ２１１がバス２１２を通して、ＸＧＳＮ（ＧＧＳＮ）インターフェース部２１３、コネクション断検出部２１４、ＩＰ−ＳＣＰインターフェース部２１５、コネクション断通知部２１６、および、ＲＮＣインターフェース部２１７の各部を統括的に管理して、所定の各機能を営むように構成されている。
【００３９】
ＸＧＳＮ（ＳＧＳＮ）インターフェース部２１３は、システムコントローラ２１１の制御下で上位ノードであるＸＧＳＮ（ＧＧＳＮ）２００との信号の授受を行う。
コネクション断検出部２１４は、ＸＧＳＮ（ＳＧＳＮ）インターフェース部２１３を通して、ＸＧＳＮ（ＧＧＳＮ）２００内でのコネクション断を検出するそれ自体は一般的なこの種の装置に備えられる機能部である。
ＩＰ−ＳＣＰインターフェース部２１５は、システムコントローラ２１１の制御下でＩＰ−ＳＣＰ１２０との情報の授受を行う。
【００４０】
コネクション断通知部２１６は、コネクション断検出部２１４が上述のコネクション断を検出したときに、このコネクション断が生じたことを通知するための信号を形成して、ＩＰ−ＳＣＰインターフェース部２１５を通して、ＩＰ−ＳＣＰ１２０にコネクション断の発生を通知する。
ＲＮＣインターフェース部２１７は、システムコントローラ２１１の制御下で、所定のタイミングでＲＮＣ２３０との情報の授受を行う。
【００４１】
以上の通り、本実施の形態の移動通信システム１０では、移動機を用いた通信に係る呼の設定および解除のために信号伝送路の接続および切断を切り換え制御するコネクションのうち所定期間常態で接続が維持されるべき接続維持コネクションに関し当該所定期間内に常態が破れ切断が発生したことを検出するコネクション断検出手段は、図３（図１）を参照して説明したＸＧＳＮ（ＳＧＳＮ）２１０に備えられている。
【００４２】
（本発明の移動通信システムの一の実施の形態の動作）
図４は、図１ないし図３を参照して説明した本発明の実施の形態としての移動通信システムの動作を表すシーケンス図である。
ＸＧＳＮの機能によって実現されているＧＧＳＮに故障が発生すると（Ｓ４０１）、コネクション断の発生が、図３を参照して既述のように、ＸＧＳＮの機能によって実現されているＳＧＳＮによって検出される（Ｓ４０２）。
次いで、ＭＴ（移動機）とＳＧＳＮ間で通信の秘匿処理（Security Function）が実行される（Ｓ４０３）。
このSecurity Functionの処理過程でＳＧＳＮは国際移動機器識別子（ＩＭＥＩ：International Mobile Equipment Identity）データを取得する。
【００４３】
次いで、ＳＧＳＮからＩＰ−ＳＣＰにＧＧＳＮに故障が発生したことが通知される（「ＧＧＳＮ再開通知−１」と表記：Ｓ４０４）。
Ｓ４０４の通知を受けたＩＰ−ＳＣＰがＨＬＲの保有する該当する加入者の契約情報を参照する（「ＧＧＳＮ再開通知−２」と表記：Ｓ４０５）。
このため、ＨＬＲでは、コネクション断を通知したＳＧＳＮ  配下の加入者番号が検索され（Ｓ４０６）、更に、Ｓ４０６の検索によって、抽出された加入者番号および常時接続契約に該当するユーザが抽出される（Ｓ４０７）。
Ｓ４０７によって抽出された情報に基づいて、コネクション断に関係する加入者の情報がＨＬＲからＩＰ−ＳＣＰに供給される（「加入者呼び出し通知―１」と表記：Ｓ４０８）。
【００４４】
これを受けたＩＰ−ＳＣＰでは、供給された加入者情報に基づいて、通信の再開を行うべき系統（移動機への経路）を判断し、特定する。
ＩＰ−ＳＣＰにおいてこのように判断し特定されたる情報が、ＧＧＳＮに供給される（「加入者呼び出し通知―２」と表記：Ｓ４０９）。
Ｓ４０９における「加入者呼び出し通知―２」が、上述の復旧呼出発信指令に該当する。
【００４５】
これを受けたＧＧＳＮが、各加入者が利用可能なＡＰＮ（Access Point Name：接続ポイント名）を検索する（Ｓ４１０）。
ＭＴからの、再度の接続要求が起こり、通信の復旧が実現する（Ｓ４１１）。
以上の通り、ネットワーク側主導での通信の復旧が行われるため、ネットワーク側の状況とは無関係に端末（移動機ＭＴ）側主導で復旧動作が一斉に行われてしまうことに起因する無線リソースの逼迫が効果的に抑制され得る。
【００４６】
（本発明の移動通信システムの他の実施の形態）
図５は、本発明の他の実施の形態としての移動通信システムを表す概念図である。
図示の例における移動通信システム２０において、既述の図１との対応部には同一の参照符号を附して、これら対応部自体の説明は省略する。
図１の移動通信システム１０との符号を対照して容易に理解される通り、図５の移動通信システム５０では、移動通信システム１０においてＩＰ−ＳＣＰ１２０、ＨＬＲ１３０、および、ＸＧＳＮ（ＳＧＳＮ）２１０によって賄われていた各所要の機能が、ＨＬＲ１３０ａ、および、ＸＧＳＮ（ＳＧＳＮ）６１０によって賄われるように構成されている。
【００４７】
即ち、ＸＧＳＮ（ＳＧＳＮ）６１０が自動接続復旧ノードとして構成され、ＸＧＳＮ（ＧＧＳＮ）２００に発生したコネクション断を検出する機能部も、この検出によってコネクション断を認識するコネクション断認識手段も、このＸＧＳＮ（ＳＧＳＮ）６１０に含まれている。
この場合、ＸＧＳＮ（ＳＧＳＮ）６１０に替えて、通常のとおりのＳＧＳＮを適用可能であることは勿論である。
【００４８】
（自動復旧ノードの他の実施の形態）
図６は、図５の移動通信システム５０におけるＸＧＳＮ（ＳＧＳＮ）の構成を表すブロック図である。
このＸＧＳＮ（ＳＧＳＮ）６１０は、システムコントローラ６１１がバス６１２を通して、ＸＧＳＮ（ＧＧＳＮ）インターフェース部６１３、コネクション断検出部６１４、ＨＬＲインターフェース部６１５、コネクション認識知部６１６、および、ＲＮＣインターフェース部６１７の各部を統括的に管理して、所定の各機能を営むように構成されている。
ＸＧＳＮ（ＧＧＳＮ）インターフェース部６１３は、システムコントローラ６１１の制御下で上位ノードであるＸＧＳＮ（ＧＧＳＮ）２００との信号の授受を行う。
コネクション断検出部６１４は、ＸＧＳＮ（ＧＧＳＮ）インターフェース部６１３を通して、ＸＧＳＮ（ＧＧＳＮ）２００内でのコネクション断を検出するそれ自体は一般的なこの種の装置に備えられる機能部である。
【００４９】
ＨＬＲインターフェース部６１５は、システムコントローラ２１１の制御下でＨＬＲ１３０ａとの情報の授受、即ち、上述のコネクション断に関係する加入者の契約情報の検索および取得を行う。
コネクション断認識部６１６は、コネクション断検出部６１４が上述のコネクション断を検出したときに、このコネクション断が生じたことを認識する。
この認識は、例えば、このコネクション断の認識に対応する履歴の一時的保持といった状態を形成する。
ＲＮＣインターフェース部６１７は、システムコントローラ６１１の制御下で、所定のタイミングでＲＮＣ２３０との情報の授受を行う。
【００５０】
以上の通り、本実施の形態の移動通信システム５０では、移動機を用いた通信に係る呼の設定および解除のために信号伝送路の接続および切断を切り換え制御するコネクションのうち所定期間常態で接続が維持されるべき接続維持コネクションに関し当該所定期間内に常態が破れ切断が発生したことを検出するコネクション断検出手段は、図６（図５）を参照して説明したＸＧＳＮ（ＳＧＳＮ）６１０に備えられている。
また、システムコントローラ６１１は、ＨＬＲインターフェース部６１５を通してＨＬＲ１３０ａと既述の情報の授受を行って取得した当該コネクション断に関係する加入者の契約情報に基づいて、復旧させるべき通信を特定する復旧通信特定部として機能する。
更にまた、システムコントローラ６１１は、上述のように特定される通信に関して該当する移動機に復旧動作を促す呼出を発信させるための復旧呼出発信指令を発する復旧呼出発信指令手段としても機能し、この復旧呼出発信指令が、ＸＧＳＮ（ＧＧＳＮ）インターフェース部６１３を通して、ＧＳＮ（ＧＧＳＮ）２００に供給される。
【００５１】
（本発明の移動通信システムの他の実施の形態の動作）
図７は、図５および図６を参照して説明した本発明の他の実施の形態としての移動通信システムの動作を表すシーケンス図である。
ＸＧＳＮの機能によって実現されているＧＧＳＮに故障が発生すると（Ｓ７０１）、コネクション断の発生が、図６を参照して既述のように、ＸＧＳＮの機能（コネクション断検出部６１４）によって検出される（Ｓ７０２）。
次いで、ＭＴ（移動機）とＳＧＳＮ間で通信の秘匿処理（Security Function）が実行される（Ｓ７０３）。
このSecurity Functionの処理過程でＳＧＳＮは国際移動機器識別子（ＩＭＥＩ：International Mobile Equipment Identity）データを取得する。
コネクション断の発生は、ＳＧＳＮで検出および認識され、このＳＧＳＮからＨＬＲの保有する該当する加入者の契約情報を参照する（「ＧＧＳＮ再開通知」と表記：Ｓ７０４）。
【００５２】
このため、ＨＬＲでは、コネクション断を通知したＳＧＳＮ  配下の加入者番号が検索され（Ｓ７０５）、更に、Ｓ７０５の検索によって、抽出された加入者番号および常時接続契約に該当するユーザが抽出される（Ｓ７０６）。
Ｓ７０６によって抽出された情報に基づいて、通信の再開を行うべき系統（移動機への経路）が判断され、特定されて、コネクション断に関係する加入者の情報がＨＬＲからＧＧＳＮに供給される（「加入者呼び出し通知」と表記：Ｓ７０７）。
【００５３】
これを受けたＧＧＳＮが、各加入者が利用可能なＡＰＮ（Access Point Name：接続ポイント名）を検索する（Ｓ７０８）。
ＭＴからの、再度の接続要求が起こり、通信の復旧が実現する（Ｓ７０９）。
以上の通り、ネットワーク側主導での通信の復旧が行われるため、ネットワーク側の状況とは無関係に端末（移動機ＭＴ）側主導で復旧動作が一斉に行われてしまうことに起因する無線リソースの逼迫が効果的に抑制され得る。
【産業上の利用可能性】
【００５４】
本発明は、移動機を用いた通信に係る呼の設定および解除のために信号伝送路の接続および切断を切り換え制御するコネクションのうち所定期間常態で接続が維持されるべき接続維持コネクションに関し当該所定期間内に常態が破れ切断が発生した場合に、ネットワーク側主導で、復旧させるべき通信に関する移動機から通信復旧のための接続要求を起こさせることが可能な移動通信システムの構築に利用することができる。
【図面の簡単な説明】
【００５５】
【図１】本発明の実施の形態としての移動通信システムを表す概念図である。
【図２】図１中の自動接続復旧ノードとしてのＩＰ−ＳＣＰの構成を表すブロック図である。
【図３】図１中のＸＧＳＮ（ＳＧＳＮ）の構成を表すブロック図である。
【図４】図１の移動通信システムの動作を表すシーケンス図である。
【図５】本発明の他の実施の形態としての移動通信システムを表す概念図である。
【図６】図５の移動通信システム５０におけるＸＧＳＮ（ＳＧＳＮ）の構成を表すブロック図である。
【図７】図５および図６を参照して説明した本発明の他の実施の形態としての移動通信システムの動作を表すシーケンス図である。
【符号の説明】
【００５６】
１０…移動通信システム
５０…移動通信システム
１１０…コンテンツサーバ（管理サーバ）
１２０…ＩＰ−ＳＣＰ
１２１…システムコントローラ
１２２…バス
１２３…ＸＳＧＮ（ＳＧＳＮ）インターフェース部
１２４…コネクション断認識部
１２５…ＨＬＲインターフェース部
１２６…復旧通信特定部
１２７…ＸＳＧＮ（ＧＧＳＮ）インターフェース部
１３０…ＨＬＲ
１３０ａ…ＨＬＲ
２００…ＸＳＧＮ（ＧＧＳＮ）
２１０…ＸＳＧＮ（ＳＧＳＮ）
２１１…システムコントローラ
２１２…バス
２１３…ＸＳＧＮ（ＧＧＳＮ）インターフェース部
２１４…コネクション断検出部
２１５…ＩＰ−ＳＣＰインターフェース部
２１６…コネクション断通知部
２１７…ＲＮＣインターフェース部
２２０…ＸＳＧＮ（ＳＧＳＮ）
２３０…ＲＮＣ
２４０…ＲＮＣ
３１０…移動機
３２０…移動機
５００…自動販売機
６１０…ＸＳＧＮ（ＳＧＳＮ）
６１１…システムコントローラ
６１２…バス
６１３…ＸＳＧＮ（ＧＧＳＮ）インターフェース部
６１４…コネクション断検出部
６１５…ＨＬＲインターフェース部
６１６…コネクション断認識部
６１７…ＲＮＣインターフェース部
【図１】
0004886670.tif 000002
【図２】
0004886670.tif 000003
【図３】
0004886670.tif 000004
【図４】
0004886670.tif 000005
【図５】
0004886670.tif 000006
【図６】
0004886670.tif 000007
【図７】
0004886670.tif 000008